(57)【要約】【課題】使用に伴う消しゴムの摩滅を利用して、使用者に新たな楽しみ方を提供する。【解決手段】組立式消しゴム１は、顔模様を含む頭部模様が形成された第１の消しゴム２と、胴体模様が形成された第２の消しゴム３と、を備え、前記第１の消しゴム及び前記第２の消しゴムは、互いに分離可能に結合される結合部１０，１１をそれぞれ有しており、前記結合部が結合されて前記第１の消しゴムと前記第２の消しゴムとが一体とされることにより、前記頭部模様と前記胴体模様との組み合わせに応じたキャラクター模様が形成される。【選択図】図１
2015155170.tif 000002
【特許請求の範囲】
【請求項１】
顔模様を含む頭部模様が形成された第１の消しゴムと、
胴体模様が形成された第２の消しゴムと、
を備え、
前記第１の消しゴム及び前記第２の消しゴムは、互いに分離可能に結合される結合部をそれぞれ有しており、
前記結合部が結合されて前記第１の消しゴムと前記第２の消しゴムとが一体とされることにより、前記頭部模様と前記胴体模様との組み合わせに応じたキャラクター模様が形成される組立式消しゴム。
【請求項２】
請求項１記載の組立式消しゴムであって、
前記顔模様を正面視した場合における前記第１の消しゴムの輪郭は、前記頭部模様の両頬部に対応する部分に角部を有する組立式消しゴム。
【請求項３】
請求項２記載の組立式消しゴムであって、
前記頭部模様は肌及び毛髪を含み、前記両頬部の少なくともいずれか一方は前記毛髪に覆われることなく前記肌を露出させている組立式消しゴム。
【請求項４】
請求項３記載の組立式消しゴムであって、
前記毛髪は、前記頭部模様の頭頂部から前記第１の消しゴムの前記輪郭に沿って前記両頬部のうち一方の頬部に延び、該頬部を覆っている組立式消しゴム。
【請求項５】
請求項１から４のいずれか一項記載の組立式消しゴムであって、
前記第１の消しゴムは、前記結合部が設けられた結合面と、結合面の左右の端縁にそれぞれ連なって互いに平行に設けられた第１側面及び第２側面と、を含み、
前記第２の消しゴムは、前記結合部が設けられた結合面と、結合面の左右の端縁にそれぞれ連なって互いに平行に設けられた第３側面及び第４側面と、を含み、
前記結合部が結合されて前記第１の消しゴムと前記第２の消しゴムとが一体とされた状態で、前記第１側面と前記第３側面が実質的に同一面上に位置し、且つ、前記第２側面と前記第４側面とが実質的に同一面上に位置する組立式消しゴム。
【発明の詳細な説明】
【技術分野】
【０００１】
本発明は、組立式消しゴムに関する。
【背景技術】
【０００２】
特許文献１に記載された組立式消しゴムは、キャラクターを模した形状に形成され、胴部及び顔面模様が付された頭部を有する第１の消しゴムと、第１の消しゴムの表面を覆い、第１の消しゴムに着脱可能に取り付けられる第２の消しゴムとを備えている。第２の消しゴムには、第１消しゴムの頭部に付された顔面模様を露呈させる開口部が設けられている。第１の消しゴムに第２の消しゴムを取り付けることによってキャラクターに着ぐるみを着せ、そして、形態の異なる第２の消しゴムを組み合わせることによって組立式消しゴムの変化を楽しむことができる。
【先行技術文献】
【特許文献】
【０００３】
【特許文献１】特許第５１８２９０５号公報
【発明の概要】
【発明が解決しようとする課題】
【０００４】
消しゴムは、紙に鉛筆などで書かれた字や絵などを擦って消すために用いられる実用品であって、使用に伴って摩り減っていく。本発明は、使用に伴う消しゴムの摩滅を利用して、使用者に新たな楽しみ方を提供することを目的としている。
【課題を解決するための手段】
【０００５】
本発明に係る消しゴムは、顔模様を含む頭部模様が形成された第１の消しゴムと、胴体模様が形成された第２の消しゴムと、を備え、前記第１の消しゴム及び前記第２の消しゴムは、互いに分離可能に結合される結合部をそれぞれ有しており、前記結合部が結合されて前記第１の消しゴムと前記第２の消しゴムとが一体とされることにより、前記頭部模様と前記胴体模様との組み合わせに応じたキャラクター模様が形成されることを特徴としている。
【０００６】
また、本発明に係る消しゴムにおいて、前記顔模様を正面視した場合における前記第１の消しゴムの輪郭は、前記頭部模様の両頬部に対応する部分に角部を有していてもよい。
【０００７】
また、本発明に係る消しゴムにおいて、前記頭部模様は肌及び毛髪を含み、前記両頬部の少なくともいずれか一方が前記毛髪に覆われることなく前記肌を露出させていてもよい。
【０００８】
また、本発明に係る消しゴムにおいて、前記毛髪は、前記頭部模様の頭頂部から前記第１の消しゴムの前記輪郭に沿って前記両頬部のうち一方の頬部に延び、該頬部を覆っていてもよい。
【０００９】
また、本発明に係る消しゴムにおいて、前記第１の消しゴムは、前記結合部が設けられた結合面と、結合面の左右の端縁にそれぞれ連なって互いに平行に設けられた第１側面及び第２側面と、を含み、前記第２の消しゴムは、前記結合部が設けられた結合面と、結合面の左右の端縁にそれぞれ連なって互いに平行に設けられた第３側面及び第４側面と、を含み、前記結合部が結合されて前記第１の消しゴムと前記第２の消しゴムとが一体とされた状態で、前記第１側面と前記第３側面が実質的に同一面上に位置し、且つ、前記第２側面と前記第４側面とが実質的に同一面上に位置するように構成されていてもよい。
【発明の効果】
【００１０】
本発明によれば、使用に伴う消しゴムの摩滅を利用して、使用者に新たな楽しみ方を提供することができる。
【図面の簡単な説明】
【００１１】
【図１】本発明の実施形態を説明するための、組立式消しゴムの一例の構成を示す図であり、（Ａ）は第１の消しゴムと第２の消しゴムとが一体化された状態を、（Ｂ）は第１の消しゴムと第２の消しゴムとが分離された状態をそれぞれ示す。
【図２】（Ａ）から（Ｈ）は図１の第１の消しゴムの摩滅による変化の一例を順に示す図である。
【図３】（Ａ）から（Ｄ）は図１の第１の消しゴムの摩滅による変化の他の例を順に示す図である。
【図４】（Ａ）から（Ｈ）は図１の第２の消しゴムの摩滅による変化の一例を順に示す図である。
【図５】（Ａ）から（Ｄ）は図１の第２の消しゴムの摩滅による変化の他の例を順に示す図である。
【図６】（Ａ）から（Ｄ）は摩滅によって変化した図１の第１の消しゴム及び第２の消しゴムを組み合わせた例を示す図である。
【図７】（Ａ）から（Ｃ）は、図１の第１の消しゴムに胴体模様が互いに異なる種々の第２の消しゴムを組み合わせた例を示す図である。
【図８】（Ａ）から（Ｃ）は、図１の第２の消しゴムに頭部模様が互いに異なる種々の第１の消しゴムを組み合わせた例を示す図である。
【図９】図１の組立式消しゴムの外観を示し、（Ａ）は正面図、（Ｂ）は背面図、（Ｃ）は左側面図、（Ｄ）は右側面図、（Ｅ）は平面図、（Ｆ）は底面図、（Ｇ）は斜視図、（Ｈ）は分離された状態を示す斜視図である。
【図１０】本発明の実施形態を説明するための、組立式消しゴムの他の例の外観を示し、（Ａ）は正面図、（Ｂ）は背面図、（Ｃ）は左側面図、（Ｄ）は右側面図、（Ｅ）は平面図、（Ｆ）は底面図、（Ｇ）は斜視図、（Ｈ）は分離された状態を示す斜視図である。
【図１１】本発明の実施形態を説明するための、組立式消しゴムの他の例の外観を示し、（Ａ）は正面図、（Ｂ）は背面図、（Ｃ）は左側面図、（Ｄ）は右側面図、（Ｅ）は平面図、（Ｆ）は底面図、（Ｇ）は斜視図、（Ｈ）は分離された状態を示す斜視図である。
【図１２】本発明の実施形態を説明するための、組立式消しゴムの他の例の外観を示し、（Ａ）は正面図、（Ｂ）は背面図、（Ｃ）は左側面図、（Ｄ）は右側面図、（Ｅ）は平面図、（Ｆ）は底面図、（Ｇ）は斜視図、（Ｈ）は分離された状態を示す斜視図である。
【図１３】本発明の実施形態を説明するための、組立式消しゴムの他の例の外観を示し、（Ａ）は正面図、（Ｂ）は背面図、（Ｃ）は左側面図、（Ｄ）は右側面図、（Ｅ）は平面図、（Ｆ）は底面図、（Ｇ）は斜視図、（Ｈ）は分離された状態を示す斜視図である。
【図１４】本発明の実施形態を説明するための、組立式消しゴムの他の例の外観を示し、（Ａ）は正面図、（Ｂ）は背面図、（Ｃ）は左側面図、（Ｄ）は右側面図、（Ｅ）は平面図、（Ｆ）は底面図、（Ｇ）は斜視図、（Ｈ）は分離された状態を示す斜視図である。
【図１５】本発明の実施形態を説明するための、組立式消しゴムの他の例の外観を示し、（Ａ）は正面図、（Ｂ）は背面図、（Ｃ）は左側面図、（Ｄ）は右側面図、（Ｅ）は平面図、（Ｆ）は底面図、（Ｇ）は斜視図、（Ｈ）は分離された状態を示す斜視図である。
【図１６】本発明の実施形態を説明するための、組立式消しゴムの他の例の外観を示し、（Ａ）は正面図、（Ｂ）は背面図、（Ｃ）は左側面図、（Ｄ）は右側面図、（Ｅ）は平面図、（Ｆ）は底面図、（Ｇ）は斜視図、（Ｈ）は分離された状態を示す斜視図である。
【発明を実施するための形態】
【００１２】
図１は、本発明の実施形態を説明するための、組立式消しゴムの一例の構成を示す。
【００１３】
組立式消しゴム１は、顔模様を含む頭部模様が形成された第１の消しゴム２と、胴体模様が形成された第２の消しゴム３とを備えている。
【００１４】
第１の消しゴム２に形成された頭部模様は、図示の例では、肌及び頭髪（毛髪）並びに顔模様によって構成されている。顔模様は、少なくとも目又は眼鏡を含み、図示の例では、目、眉、鼻、及び口によって構成されている。頭部模様の肌と頭髪とは、互いに異なる色彩で消しゴム材料が着色されて形成されている。顔模様は、消しゴムの表面に印刷されて形成されている。なお、頭部模様は髭などを含んでいてもよく、顔模様は皺や汗や頬の赤みなどを含んでいてもよい。
【００１５】
第２の消しゴム３に形成された胴体模様は、図示の例では、服飾によって構成されており、上記頭部模様と同様に、消しゴム材料の着色や消しゴム表面への印刷によって形成されている。なお、胴体模様は襟元に覗く肌などを含んでいてもよい。
【００１６】
未使用の第１の消しゴム２は、全体として略直方体を呈し、上記顔模様が形成されている正面２ａ、背面、互いに平行な左側面（第１側面）２ｂ及び右側面（第２側面）２ｃ、上面２ｄ、下面２ｅは、いずれも略矩形状に形成されている。未使用の第２の消しゴム３もまた、全体として略直方体を呈し、正面３ａ、背面、互いに平行な左側面（第３側面）３ｂ及び右側面（第４側面）３ｃ、上面３ｄ、下面３ｅは、いずれも略矩形状に形成されている。
【００１７】
第１の消しゴム２の下面（結合面）２ｅ及び第２の消しゴム３の上面（結合面）３ｄには互いに分離可能に結合される結合部がそれぞれ設けられている。第１の消しゴム２の結合部１０は凸部として構成されており、第１の消しゴム２の正面２ａ側から見て、アンダーカットを有する台形状に形成されている。第２の消しゴム３の結合部１１は凹部として構成されており、第１の消しゴム２の結合部１０と同様に、第２の消しゴム３の正面３ａ側から見て、アンダーカットを有する台形状に形成され、正面３ａ及び背面に開放されている。
【００１８】
第１の消しゴム２の結合部１０は、第２の消しゴム３の結合部１１の正面３ａ又は背面における開放端から結合部１１に挿入され、結合部１１に結合される。結合部１０，１１が結合されて第１の消しゴム２と第２の消しゴム３とが一体とされることにより、第１の消しゴム２の頭部模様と第２の消しゴム３の胴体模様との組み合わせに応じたキャラクター模様が形成される。
【００１９】
また、未使用の第１の消しゴム２と第２の消しゴム３とが一体化された状態で、第１消しゴム２の左側面２ｂと第２の消しゴム３の左側面３ｂとは実質的に同一面上に位置し、且つ第１消しゴム２の右側面２ｃと第２の消しゴム３の右側面３ｃとは実質的に同一面上に位置する。即ち、組立式消しゴム１は、全体として略直方体を呈し、一般的な消しゴムと同様の使用感を提供可能である。無論、第１の消しゴム２及び第２の消しゴム３は、各々単独でも使用可能である。
【００２０】
図２は、図１の第１の消しゴム２の変化の一例を示す。
【００２１】
顔模様を含む頭部模様が形成された第１の消しゴム２は、使用に伴って摩滅する。この摩滅を利用して顔模様を正面視した場合における第１の消しゴム２の輪郭を削り、第１の消しゴム２の顔模様を含む頭部模様によって表現されるキャラクターの面相を変化させることができる。そして、第１の消しゴム２は、面相の変化を伴いながら次第に小さくなっていく。それにより、身を削って字や絵などを消す消しゴムの悲哀を表現することができる。
【００２２】
ここで、上述の通り、第１の消しゴム２は単独で使用可能であり、単独での使用により、第２の消しゴム３に接する下面２ｅから左側面２ｂ及び右側面２ｃにかけて、つまりは頭部模様における両頬部に対応する部分について、第１の消しゴム２の輪郭を削ることが可能となる。それにより、頬の肉が落ちてスリムになっていく様や、頬がこけてやつれていく様など、多様な表現が可能となる。
【００２３】
頭部模様の両頬部に対応する部分の第１の消しゴム２の輪郭に角部Ｅが設けられていることが好ましい。それによれば、頬の肉が落ちてスリムになっていく様や、頬がこけてやつれていく様を強調して表現することができる。
【００２４】
また、第１の消しゴム２の顔模様を含む頭部模様は、両頬部の少なくともいずれか一方が毛髪に覆われることなく肌を露出させていることが好ましい。それによれば、頬の肉が落ちてスリムになっていく様や、頬がこけてやつれていく様を、より直接的に表現することができる。
【００２５】
なお、図２に示す例では、頭部模様における両頬部に対応する部分についての第１の消しゴム２の輪郭が先行して削られているが、図３に示すように、頭髪に対応する部分についての輪郭を先行して削ってもよい。
【００２６】
図４は、図１の第２の消しゴム３の変化の一例を示す。
【００２７】
胴体模様が形成された第２の消しゴム３は、使用に伴って摩滅する。この摩滅を利用して第２の消しゴム３の輪郭を削り、第２の消しゴム３の胴体模様によって表現されるキャラクターの体形を変化させることができる。そして、第２の消しゴム３は、体形の変化を伴いながら次第に小さくなっていく。それにより、第１の消しゴム２と同様に、身を削って字や絵などを消す消しゴムの悲哀を表現することができる。
【００２８】
ここで、上述の通り、第２の消しゴム３もまた単独で使用可能であり、単独での使用により、第１の消しゴム２に接する上面３ｄから左側面３ｂ及び右側面３ｃにかけて、つまりは胴体模様における両肩部に対応する部分について、第２の消しゴム３の輪郭を削ることが可能となる。それにより、なで肩になっていく様など、多様な表現が可能となる。
【００２９】
胴体模様の両肩部に対応する部分の第２の消しゴム３の輪郭に角部Ｅが設けられていることが好ましい。それによれば、なで肩になっていく様を強調して表現することができる。
【００３０】
なお、図４に示す例では、胴体模様における両肩部に対応する部分についての第２の消しゴム３の輪郭が先行して削られているが、図５に示すように、ウェスト部に対応する部分についての輪郭を先行して削ってもよい。
【００３１】
以上のようにして、第１の消しゴム２の頭部模様によって表現される面相を種々に変化させ、また第２の消しゴム３の胴体模様によって表現される体形を種々に変化させて、第１の消しゴム２と第２の消しゴム３とを組み合わせることにより、図６に示す例のように、共通のキャラクター模様であっても異なる印象を使用者に与えることができ、使用者に新たな楽しみ方を提供することが可能となる。
【００３２】
また、頭部模様が互いに異なる複数種の第１の消しゴム２と、胴体模様が互いに異なる複数種の第２の消しゴム３とを用意し、これらを適宜組み合わせることにより、第１の消しゴム２と第２の消しゴム３とを組み合わせて形成されるキャラクター模様を種々に変化させることもできる。図７は、図１の第１の消しゴム２に胴体模様が互いに異なる種々の第２の消しゴム３を組み合わせた例を示し、図８は、図１の第２の消しゴム３に頭部模様が互いに異なる種々の第１の消しゴム２を組み合わせた例を示している。
【００３３】
なお、図８（Ｂ）に示す第１の消しゴム２の頭部模様は女子を表現したものであって、頭髪が頭頂部から第１の消しゴム２の輪郭に沿って両頬部のうち一方の頬部に延びて頬部を覆うように構成されている。かかる構成においても、両頬部に対応する部分の第１の消しゴム２の輪郭に角部Ｅが設けられており、また、一方の頬部が頭髪に覆われずに肌を露出させているので、上述したとおり、頬の肉が落ちてスリムになっていく様や、頬がこけてやつれていく様を効果的に表現することができる。
【００３４】
また、図８（Ｃ）に示す第１の消しゴム２の頭部模様は老人を表現したものであって、両頬部が髭（毛髪）によって覆われている。かかる構成においても、両頬部に対応する部分の第１の消しゴム２の輪郭に角部Ｅが設けられているので、上述したとおり、頬の肉が落ちてスリムになっていく様や、頬がこけてやつれていく様を効果的に表現することができる。
【００３５】
なお、第１の消しゴム２に形成される頭部模様や第２の消しゴム３に形成される胴体模様は、図９から図１６に例示するように種々に変更可能である。
【００３６】
以上、説明したとおり、本組立式消しゴム１によれば、使用に伴う消しゴムの摩滅を利用して、使用者に新たな楽しみ方を提供することができる。
【符号の説明】
【００３７】
１     組立式消しゴム
２     第１の消しゴム
３     第２の消しゴム
１０   結合部
１１   結合部
【図１】
2015155170.tif 000003
【図２】
2015155170.tif 000004
【図３】
2015155170.tif 000005
【図４】
2015155170.tif 000006
【図５】
2015155170.tif 000007
【図６】
2015155170.tif 000008
【図７】
2015155170.tif 000009
【図８】
2015155170.tif 000010
【図９】
2015155170.tif 000011
【図１０】
2015155170.tif 000012
【図１１】
2015155170.tif 000013
【図１２】
2015155170.tif 000014
【図１３】
2015155170.tif 000015
【図１４】
2015155170.tif 000016
【図１５】
2015155170.tif 000017
【図１６】
2015155170.tif 000018